【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
ハブ及び前記ハブに設けられた複数の羽根を有し、モーターによる回転によって風を送風する軸流ファンと、前記軸流ファンよりも前記軸流ファンの回転軸方向の上流側に設けられたリアガードと、前記リアガードよりも前記軸流ファンの回転軸方向の下流側に設けられたフロントガードとを備え、
前記フロントガードは、前記フロントガードの中心に設けられた円盤状のガードマークと、前記ガードマークの外周縁と前記フロントガードの外周縁との間に設けられた中間リングと、前記ガードマークと前記中間リングとの間に設けられた複数の内周リブとを備え、
複数の前記内周リブのそれぞれは、前記ガードマークの外周縁に連結された第一端部と、前記中間リングの内周縁に連結された第二端部とを有し、前記軸流ファンの回転方向の反対方向に円弧の内周側が位置するように形成された円弧状であり、
前記ガードマークの外径は、前記ハブの外径よりも小さく、
前記中間リングの外径は、前記ハブの外径よりも大きいことを特徴とする扇風機。
【請求項２】
前記中間リングの外周縁と前記フロントガードの外周縁との間に連結された複数の外周リブを備え、
複数の前記外周リブのそれぞれは、前記軸流ファンの翼弦長が最大となる最大幅広部に対向するように設けられていることを特徴とする請求項１に記載の扇風機。
【手続補正２】
【補正対象書類名】明細書
【補正対象項目名】０００６
【補正方法】変更
【補正の内容】
【０００６】
そして、この目的を達成するために、本発明に係る扇風機は、ハブ及びハブに設けられた複数の羽根を有し、モーターによる回転によって風を送風する軸流ファンと、軸流ファンよりも軸流ファンの回転軸方向の上流側に設けられたリアガードと、リアガードよりも軸流ファンの回転軸方向の下流側に設けられたフロントガードとを備える。フロントガードは、フロントガードの中心に設けられた円盤状のガードマークと、ガードマークの外周縁とフロントガードの外周縁との間に設けられた中間リングと、ガードマークと中間リン
グとの間に設けられた複数の内周リブとを備える。複数の内周リブのそれぞれは、ガードマークの外周縁に連結された第一端部と、中間リングの内周縁に連結された第二端部とを有し、軸流ファンの回転方向の反対方向に円弧の内周側が位置するように形成された円弧状である。そして、ガードマークの外径は、ハブの外径よりも小さく、中間リングの外径は、ハブの外径よりも大きくなるよう形成されており、これにより所期の目的を達成するものである。
【手続補正３】
【補正対象書類名】明細書
【補正対象項目名】０００７
【補正方法】変更
【補正の内容】
【０００７】
本発明の構成により、軸流ファンから送風された風がガードマークの下流側の領域に誘導されることで、ガードマークの下流側の負圧となる領域が低減する。したがって、送風気流の主流のうちのガードマークの下流側への流れ込む風量が減少することで、ガードマークの下流側の渦の発生が抑制される。ガードマークの下流側の渦が抑制されることで、軸流ファンの主流部分に対する速度減衰が改善し、送風効率が向上する。
【手続補正４】
【補正対象書類名】明細書
【補正対象項目名】０００８
【補正方法】変更
【補正の内容】
【０００８】
【図１】本発明の実施の形態１に係る扇風機の斜視図
【図２】実施の形態１に係る扇風機の側面図
【図３】フロントガードを上流側から見て、一部を透過させた正面図
【図４】（ａ）ガードマーク付近を下流側正面から見た拡大図、（ｂ）フロントガードの断面と軸流ファンの位置関係を側面側から見た図
【図５】従来の整流翼つきフロントガードの斜視図
【図６】従来の整流翼つきフロントガードの側面図
【手続補正５】
【補正対象書類名】明細書
【補正対象項目名】０００９
【補正方法】変更
【補正の内容】
【０００９】
本発明に係る扇風機は、ハブ及びハブに設けられた複数の羽根を有し、モーターによる回転によって風を送風する軸流ファンと、軸流ファンよりも軸流ファンの回転軸方向の上流側に設けられたリアガードと、リアガードよりも軸流ファンの回転軸方向の下流側に設けられたフロントガードとを備える。フロントガードは、フロントガードの中心に設けられた円盤状のガードマークと、ガードマークの外周縁とフロントガードの外周縁との間に設けられた中間リングと、ガードマークと中間リングとの間に設けられた複数の内周リブとを備える。複数の内周リブのそれぞれは、ガードマークの外周縁に連結された第一端部と、中間リングの内周縁に連結された第二端部とを有し、軸流ファンの回転方向の反対方向に円弧の内周側が位置するように形成された円弧状である。ガードマークの外径は、ハブの外径よりも小さく、中間リングの外径は、ハブの外径よりも大きくなるよう形成されている。
【手続補正６】
【補正対象書類名】明細書
【補正対象項目名】００１０
【補正方法】変更
【補正の内容】
【００１０】
上記の構成により、中間リングの外径がハブの外径よりも大きいことから、羽根のハブ近傍の部分から送風された風は、内周リブ間を通過する。各内周リブの円弧の内周側は、軸流ファンの回転方向の反対方向に位置していることから、内周リブ間を通過した風は内周リブの形状に沿うように流れ、軸流ファンの中心軸側に誘導される。さらに、ガードマークの外径がハブ外径よりも小さいことから、内周リブによって中心軸側へ誘導された風は、ガードマークの下流側の領域に送風される。
【手続補正７】
【補正対象書類名】明細書
【補正対象項目名】００１１
【補正方法】変更
【補正の内容】
【００１１】
以上から、軸流ファンから送風された風がガードマークの下流側の領域に誘導されることで、ガードマークの下流側の領域に風が流れ込み負圧となる領域が低減する。したがって、送風気流の主流のうちのガードマークの下流側の領域に流れ込む風量が減少することで、ガードマークの下流側の領域での渦の発生が抑制される。渦の発生が抑制されることにより、フロントガード通過後の中心軸付近の風の速度の低下が抑制される。中心軸付近での風の速度の低下が抑制されることにより、送風気流の主流部分と中心軸付近部分の速度差が小さくなり、粘性作用による速度の減衰が抑えられ、風の直進性が向上する。
【手続補正８】
【補正対象書類名】明細書
【補正対象項目名】００１２
【補正方法】変更
【補正の内容】
【００１２】
また、本発明に係る扇風機は、中間リングの外周縁とフロントガードの外周縁との間に連結された複数の外周リブを備え、複数の外周リブのそれぞれは、軸流ファンの翼弦長が最大となる最大幅広部に対向するよう形成されている。
【手続補正９】
【補正対象書類名】明細書
【補正対象項目名】００１３
【補正方法】変更
【補正の内容】
【００１３】
軸流ファンの最大幅広部において昇圧される気流の量は、軸流ファンで昇圧される気流の量の分布において最も多くなる。また、軸流ファンの最大幅広部において昇圧される気流の速度は、軸流ファンによって送風される気流の速度分布において、最大値となる。上記の構成によれば、羽根のハブ近傍の部分から送風された回転成分が大きい風は、内周リブ間を通過し、最大幅広部において昇圧された気流は外周リブ間を通過する。したがって、軸流ファンの羽根のハブ近傍の部分から送風された回転成分が大きい風は、内周リブによって軸流ファンの中心軸側へ誘導される。最大幅広部において昇圧された風速の速い気流は、外周リブによって誘導され、下流側に送風される。軸流ファンの位置によって、内周リブと外周リブを適宜設け風向を制御することができる。